(57)【要約】      （修正有）【課題】組立て可能な電源供給を備えたホスト装置を提供する。【解決手段】組立て可能な電源供給を備えたホスト装置は、内部に配置空間を形成するケーシングであって、前記配置空間により少なくとも１つの電源配置空間Ｃ及び複数の予備電源配置空間Ｄが区画され、かつ前記複数の予備電源配置空間は前記電源配置空間に対応して隣接するようにした筐体１０を設ける。さらに、前記筐体内に対応して設けられ、かつ一端が前記電源配置空間と前記予備電源配置空間との接続箇所まで延伸し、また上にさらに複数の充電回路基板４１が設けられた配電基板４０と、前記配電基板上に取り外し可能に挿し込まれる電源供給器５０と、前記配電基板４０上の当該充電回路基板４１に取り外し可能に挿し込まれる複数の予備電源６０と、を備えるように構成される。【選択図】図１
0003179582.tif 000002
【実用新案登録請求の範囲】
【請求項１】
組立て可能な電源供給を備えたホスト装置であって、
内部に配置空間を形成するケーシングであって、前記配置空間により少なくとも１つの電源配置空間及び複数の予備電源配置空間が区画され、かつ前記複数の予備電源配置空間は前記電源配置空間に対応して隣接するようにした筐体と、
前記筐体内に対応して設けられ、かつ一端が前記電源配置空間と前記予備電源配置空間との接続箇所まで延伸し、また上にさらに複数の充電回路基板が設けられた配電基板と、
前記配電基板上に取り外し可能に挿し込まれる電源供給器と、
前記配電基板上の前記充電回路基板に取り外し可能に挿し込まれる複数の予備電源と、
を備えることを特徴とする、組立て可能な電源供給を備えたホスト装置。
【請求項２】
前記電源配置空間は、前記筐体の後側から内向きに凹入するスロットであって、かつ前記予備電源配置空間は、前記筐体の前側から内向きに凹入する相互並列式スロットであり、
また前記電源供給器の外形は、前記電源配置空間に対応して合致することにより前記筐体の前記電源配置空間に選択的に挿入可能であり、
また前記予備電源の外形は、前記予備電源配置空間に対応して合致することにより前記筐体の前記予備電源配置空間に選択的に挿入可能であることを特徴とする、請求項１記載の組立て可能な電源供給を備えたホスト装置。
【請求項３】
前記充電回路基板は、前記配電基板上に起立状に配置されることを特徴とする、請求項２記載の組立て可能な電源供給を備えたホスト装置。
【請求項４】
前記配電基板上にさらに電池安全管理ユニットが配置されることを特徴とする、請求項３記載の組立て可能な電源供給を備えたホスト装置。
【請求項５】
前記筐体が長矩形であることを特徴とする、請求項４記載の組立て可能な電源供給を備えたホスト装置。
【請求項６】
前記筐体内にさらにマザーボード配置空間及び記憶装置配置空間が区画されることを特徴とする、請求項５記載の組立て可能な電源供給を備えたホスト装置。
【請求項７】
前記組立て可能な電源供給を備えたホスト装置は、さらに主回路基板であるマザーボードと、少なくとも１つのハードディスク装置である少なくとも１つの記憶ユニットと、を備え、
前記マザーボードは、前記筐体内の前記マザーボード配置空間に配置されるとともに、前記配電基板に電気的に接続され、
前記少なくとも１つの記憶ユニットは、前記筐体内の前記記憶装置配置空間に配置されるとともに、前記マザーボードに電気的に接続されることを特徴とする、請求項６記載の組立て可能な電源供給を備えたホスト装置。
【考案の詳細な説明】
【技術分野】
【０００１】
本考案は、組立て可能な電源供給を備えたホスト装置に係り、特に、電力需用量に応じて拡充し得る、取り外し式電源供給を備えたホスト装置に関するものである。
【背景技術】
【０００２】
科学技術の進歩に伴って、日常生活またはオフィス環境においては、既に、補助ツールとして事務処理や工程計算などの用途に使われている高効率計算処理機能を有するコンピュータシステムが普及している。
【０００３】
また、コンピュータシステムにおいて、一般的に装置上の配置と言えば、大体、システム演算機能を管理するマザーボード（Ｍｏｔｈｅｒｂｏａｒｄ）部分と、データ記憶操作を制御するハードディスク（Ｈａｒｄ  Ｄｉｓｋ）と、電源を提供する電源供給器（Ｐｏｗｅｒ  Ｓｕｐｐｌｙ）と、予備電源（ＵＰＳ）と、を備えるように構成される。
【０００４】
また、概して言えば、電源の搭載が足りるかどうかを確認することは、コンピュータシステムの最も重要な一環である。しかし、現今のシャーシ装置上に搭載できる電源の多くが画一化され、交換可能性を有しない。そのため、より高効率的なホストシステムが応用される場合には、電力供給不足の問題が生じてしまい、電源供給器のさらなる取替えが必要である。また、予備電源の持続可能な時間を増やすことを期待する場合には、取替えするための時間と精力を費やす必要がある。従って、応用上の不便さをもたらしていた。この点から見れば、このような設計が実際の応用においては、まだ改善すべきところがある。
【０００５】
上記の問題点を概観し、本考案の考案者より、組立て可能な電源供給を備えたホスト装置を熟考して設計することにより、公知技術の欠点を改善するとともに、産業上の実施利用の促進を図ることを目指している。
【考案の概要】
【考案が解決しようとする課題】
【０００６】
前述した公知技術の不足点を鑑みて、本考案は、新規性、進歩性及び産業上の利用可能性などの実用新案登録要件を満たしており、公知技術の難所を克服し得る、組立て可能な電源供給を備えたホスト装置を設計することを目的とする。
【課題を解決するための手段】
【０００７】
上記目的を達成するために、本考案が採用されている技術手段は、組立て可能な電源供給を備えたホスト装置を設計することである。
【０００８】
この組立て可能な電源供給を備えたホスト装置は、内部に配置空間を形成するケーシングであって、前記配置空間により少なくとも１つの電源配置空間及び複数の予備電源配置空間が区画され、かつ前記複数の予備電源配置空間は前記電源配置空間に対応して隣接するようにした筐体と、前記筐体内に対応して設けられ、かつ一端が前記電源配置空間と前記予備電源配置空間との接続箇所まで延伸し、また上にさらに複数の充電回路基板が設けられた配電基板と、前記配電基板上に取り外し可能に挿し込まれる電源供給器と、前記配電基板上の当該充電回路基板に取り外し可能に挿し込まれる複数の予備電源と、を備えるように構成される。
【０００９】
その内、前記電源配置空間は、前記筐体の後側から内向きに凹入するスロットであって、かつ前記予備電源配置空間は、前記筐体の前側から内向きに凹入する相互並列式スロットであり、また前記電源供給器の外形は、前記電源配置空間に対応して合致することにより前記筐体の前記電源配置空間に選択的に挿入可能であり、また前記予備電源の外形は、前記予備電源配置空間に対応して合致することにより前記筐体の前記予備電源配置空間に選択的に挿入可能であることを特徴としている。
【００１０】
その内、当該充電回路基板は、前記配電基板上に起立状に配置されることを特徴としている。なお、前記筐体が長矩形であってもよい。また、前記筐体内にさらにマザーボード配置空間及び記憶装置配置空間が区画されることが好ましい。さらに、当該組立て可能な電源供給を備えたホスト装置はさらに、主回路基板であるマザーボードと、少なくとも１つのハードディスク装置である少なくとも１つの記憶ユニットと、を備え、かつ前記マザーボードは、前記筐体内の前記マザーボード配置空間に配置されるとともに、前記配電基板に電気的に接続され、及び前記少なくとも１つの記憶ユニットは、前記筐体内の前記記憶装置配置空間に配置されるとともに、前記マザーボードに電気的に接続されることを特徴としている。
【考案の効果】
【００１１】
本考案の組立て可能な電源供給を備えたホスト装置によれば、設計上では、配置の設計変更によって、ホスト装置の筐体上に挿抜可能な形式で接続して組立てられた電源供給器と予備電源を提供することが可能となる。結果として、装置本体内部のシステムの要求電圧に応じて選択配置を最適化することで、内蔵した電子装置の数が多すぎることによるシステム電圧が不足または不安定になる状況を心配する必要がなくなる。かつ、予備電源の容量が拡充可能な特性を生かして、さらに予備電源の持続時間を延長する要求を満たすことができる。なお、上述した目的と、技術的特徴と、実際に実施することによって達成される利益性とを十分に理解するために、以下、好ましい実施の形態を、関連図面に基づいて詳細に説明する。
【図面の簡単な説明】
【００１２】
【図１】本考案の組立て可能な電源供給を備えたホスト装置の配置を示す上面図である。
【図２】本考案の組立て可能な電源供給を備えたホスト装置の配置を示す側面図である。
【図３】本考案の組立て可能な電源供給を備えたホスト装置の外観を示す概略図である。
【図４】本考案の組立て可能な電源供給を備えたホスト装置の局部的構成の外観を示す概略図である。
【考案を実施するための形態】
【００１３】
本考案をより完全に理解するために、本考案の創作特徴、内容と長所及び達成できる効果については、添付図面を参照して、実施例の表現形式で以下のように詳細に説明する。しかし、図示された図面は、単に例示または明細書内容を補助する目的としたものであって、本考案の実施後の原寸に比例したものや精確に配置したものには何ら拘束されない。よって、図示された添付図面は、比例と配置関係に対する限定で解釈されてはならず、本考案を実際に実施する権利範囲に制限することを意図したものではない。
【００１４】
図１乃至図４を併せて参照し、これらの図に示すように、本考案は、組立て可能な電源供給を備えたホスト装置を提案し、この装置の好適な実施方式において、筐体（１０）と、マザーボード（２０）と、少なくとも１つの記憶ユニット（３０）と、配電基板（４０）と、電源供給器（５０）と、複数の予備電源（６０）と、を備えるように構成される。
【００１５】
前述した筐体（１０）は、内部に配置空間を形成するケーシングであり、長矩形であってもよい。前記配置空間によりマザーボード配置空間（Ａ）、記憶装置配置空間（Ｂ）、電源配置空間（Ｃ）、及び複数の予備電源配置空間（Ｄ）が区画されてもよく、その内、前記電源配置空間（Ｃ）は、前記筐体（１０）の後側から内向きに凹入するスロットであってもよく、かつ前記予備電源配置空間（Ｄ）は、前記筐体（１０）の前側から内向きに凹入する相互並列式スロットであり、しかも前記電源配置空間（Ｃ）に対応している。
【００１６】
前述したマザーボード（２０）は、主回路基板であり、その上に既にプロセッサー、メモリーや表示処理回路などの回路作業ユニットが配置され、かつ前記マザーボード（２０）は、前記筐体（１０）内の前記マザーボード配置空間（Ａ）に配置される。
【００１７】
前述した記憶ユニット（３０）は、１個乃至複数個のハードディスク装置であってもよく、それは、前記筐体（１０）内の前記記憶装置配置空間（Ｂ）に配置されるとともに、前記マザーボード（２０）に電気的に接続される。
【００１８】
前述した配電基板（４０）は、前記筐体（１０）内に対応して設けられ、それは、前記マザーボード（２０）に電気的に接続され、かつその一端が前記電源配置空間（Ｃ）と前記予備電源配置空間（Ｄ）との接続箇所までに延伸し、また前記配電基板（４０）上にさらに充電回路基板（４１）が設けられ、当該充電回路基板（４１）は、前記配電基板（４０）上に起立状に配置されてもよい。また、前記配電基板（４０）は、さらに電池安全管理ユニット（４２）が配置され、それにより直流電源と交流電源との間の切換えを管理制御できるようにすることで、周辺の交流電源と直流電源の管理知能化を実現した。
【００１９】
前述した電源供給器（５０）の外形は、前記電源配置空間（Ｃ）に対応して合致することにより前記筐体（１０）の前記電源配置空間（Ｃ）に選択的に挿入が可能となり、前記配電基板（４０）上に挿し込むことで、電源が供給される。
【００２０】
前述した予備電源（６０）の外形は、前記予備電源配置空間（Ｄ）に対応して合致することにより前記筐体（１０）の前記予備電源配置空間（Ｄ）に選択的に挿入が可能となり、前記配電基板（４０）上の前記充電回路基板（４１）に挿し込むことで、電源を受けて充電を行い、電源供給器（５０）からの入力電源が断になった場合は、予備電源として使用することができる。
【産業上の利用可能性】
【００２１】
本考案に係る組立て可能な電源供給を備えたホスト装置の設計上の巧妙な発想によれば、配置を変更することによって、ホスト装置の筐体上に挿抜可能な形式で接続して組立てられた電源供給器（５０）と予備電源（６０）を提供することが可能となる。結果として、装置本体内部のシステムの要求電圧に応じて選択配置を最適化することで、内蔵した電子装置の数が多すぎることによるシステム電圧が不足または不安定になる状況を心配する必要はなくなる。かつ、予備電源（６０）の容量が拡充可能な特性を生かして、さらに予備電源の持続時間を延長する要求を満たすことができる。この点は、従来技術には遠く及ばないことが分かり、本考案は利益性を有することは明らかである。
【符号の説明】
【００２２】
１０      筐体
２０      マザーボード  
３０      記憶ユニット
４０      配電基板
４１      充電回路基板
４２      電池安全管理ユニット
５０      電源供給器
６０      予備電源
Ａ        マザーボード配置空間
Ｂ        記憶装置配置空間
Ｃ        電源配置空間
Ｄ        予備電源配置空間
【図１】
0003179582.tif 000003
【図２】
0003179582.tif 000004
【図３】
0003179582.tif 000005
【図４】
0003179582.tif 000006